(57)【要約】【課題】  画像編集後に、ユーザの希望に合わせて元の画像と編集後の画像を任意に選んで表示することを目的とする。【解決手段】  画像処理装置は、画像編集後に表示する画像をユーザの意思で選択できるようにした。画像処理装置はユーザ操作に応じて、編集前または編集後の画像を指定し、表示するので、ユーザは所望の画像を簡単に閲覧することができる。【選択図】  図３
2010193478.tif 000002
【特許請求の範囲】
【請求項１】
被写体を撮像して画像を得る撮像手段と、
前記撮像手段により得られた画像を記憶装置に記憶する第１の記憶制御手段と、
前記画像の少なくとも１つを編集する編集手段と、
前記編集手段により編集された編集画像を新たな画像として前記記憶装置に記憶する第２の記憶制御手段と、
前記編集画像と編集前の元画像とのいずれの画像を前記編集後に表示するかを選択させるための画面を表示する選択画面表示手段とを有するデジタルカメラ。
【請求項２】
前記編集手段により画像を編集するための編集モードを有し、
前記選択画面表示手段は、前記編集モードを終了したときに前記選択画面を表示することを特徴とする請求項１に記載のデジタルカメラ。
【請求項３】
前記選択画面表示手段は、前記編集手段による画像の編集を行った後に前記選択画面を表示することを特徴とする請求項１に記載のデジタルカメラ。
【請求項４】
ユーザからの指示に応じて、予め定められた順番で記憶装置に記憶された画像を順次表示する画像表示手段とを有する請求項１に記載のデジタルカメラ。
【請求項５】
前記選択に基づき表示した画像の印刷を指示する印刷指示手段を有する請求項２に記載のデジタルカメラ。
【請求項６】
前記編集手段は、前記編集モードにおいて複数の画像を編集可能であり、
前記選択画面において編集画像の表示が選択された場合には、一画面に前記編集モードで編集した画像の縮小画像を複数表示するマルチ表示を行うマルチ画像表示手段を有することを特徴とする請求項２に記載のデジタルカメラ。
【請求項７】
前記編集手段による編集は、赤目処理、色補正、画像の回転、露出補正、画像のトリミングのいずれかを含むことを特徴とする請求項１に記載のデジタルカメラ。
【請求項８】
画像を編集するための編集モードにおいて、前記画像の少なくとも１つを編集する編集手段と、
前記編集手段により編集された編集画像を新たな画像として前記記憶装置に記憶する記憶制御手段と、
前記編集画像と編集前の元画像とのいずれの画像を前記編集モード終了後に表示するかを選択させるための画面を表示する選択画面表示手段とを有する画像処理装置。
【請求項９】
被写体を撮像して画像を得る撮像工程と、
前記撮像工程により得られた画像を記憶装置に記憶する第１の記憶制御工程と、
前記画像の少なくとも１つを編集する編集工程と、
前記編集工程により編集された編集画像を新たな画像として前記記憶装置に記憶する第２の記憶制御工程と、
前記編集画像と編集前の元画像とのいずれの画像を前記編集後に表示するかを選択させるための画面を表示する選択画面表示工程とを有するデジタルカメラの制御方法。
【請求項１０】
画像を編集するための編集モードにおいて、前記画像の少なくとも１つを編集する編集工程と、
前記編集手段により編集された編集画像を新たな画像として記憶装置に記憶する記憶制御工程と、
前記編集画像と編集前の元画像とのいずれの画像を前記編集モード終了後に表示するかを選択させるための画面を表示する選択画面表示工程とを有する画像処理装置の制御方法。
【請求項１１】
コンピュータに、
被写体を撮像して画像を得る撮像工程と、
前記撮像手段により得られた画像を記憶装置に記憶する第１の記憶制御工程と、
前記画像の少なくとも１つを編集する編集工程と、
前記編集手段により編集された編集画像を新たな画像として前記記憶装置に記憶する第２の記憶制御工程と、
前記編集画像と編集前の元画像とのいずれの画像を前記編集後に表示するかを選択させるための画面を表示する選択画面表示工程とを実行させるプログラム。
【請求項１２】
コンピュータに
画像を編集するための編集モードにおいて、前記画像の少なくとも１つを編集する編集工程と、
前記編集手段により編集された編集画像を新たな画像として記憶装置に記憶する記憶制御工程と、
前記編集画像と編集前の元画像とのいずれの画像を前記編集モード終了後に表示するかを選択させるための画面を表示する選択画面表示工程とを有する画像処理装置の制御方法とを実行させるプログラム。
【発明の詳細な説明】
【技術分野】
【０００１】
本発明は、画像処理装置において画像編集を終えた後に表示する画像を選択する技術に関する。
【背景技術】
【０００２】
現在、画像処理装置並びに撮像装置の高機能化が進み、記録媒体に記録されている画像或いは撮像した画像（以下、単に「画像」と呼ぶ）を単に表示（再生）するのみではなく、画像を編集して新たな画像として保存可能な機能を有するものがある。
【０００３】
従来の画像処理装置では、画像を別ウインドウで編集したあとにウインドウの切り替えを行った場合に、切り替え後のウインドウに編集前の画像を表示するもの、或いは新たに保存された編集後の画像を表示するものがあった。これは、編集前の画像または編集後の画像のいずれか一方を固定的に表示するものであった（例えば、特許文献１）。
【先行技術文献】
【特許文献】
【０００４】
【特許文献１】特開平０６−０８３９１９号公報
【発明の概要】
【発明が解決しようとする課題】
【０００５】
しかしながら、編集前の画像を表示することと編集後の画像を表示することのどちらがよいかは、場合によって異なる。
【０００６】
例えば、編集後の画像が新規保存された場合に、編集前の画像を表示する画像処理装置では、編集後の画像が発見されづらい。ユーザが編集した画像をすぐにプリントしたい場合などには、編集後の画像を探すために画像送りの操作を行わなければならず、非常に煩雑である。
【０００７】
逆に、編集後の画像を表示するよう制御された画像処理装置では、編集前の画像がどれであったか探すのに手間取ってしまうという問題があった。例えば、ユーザが同じ画像に対して異なる編集を行いたい場合には、一度編集を行うたびに、もう一度編集前の画像を探すために画像送りの操作を行わなければならず、非常に煩雑である。
【０００８】
このように、編集処理の後に編集前の画像と編集後の画像のどちらを指定するのがよいかは、ユーザの意図によって変わるものである。この問題は、例えばデジタルカメラのように、予め定められた順番で画像を順次指定する装置の場合に顕著である。
【課題を解決するための手段】
【０００９】
上記課題を解決するために、本願第１の発明は、被写体を撮像して画像を得る撮像手段と、前記撮像手段により得られた画像を記憶装置に記憶する第１の記憶制御手段と、前記画像の少なくとも１つを編集する編集手段と、前記編集手段により編集された編集画像を新たな画像として前記記憶装置に記憶する第２の記憶制御手段と、前記編集画像と編集前の元画像とのいずれの画像を前記編集後に表示するかを選択させるための画面を表示する選択画面表示手段とを有することを特徴とする。
【００１０】
また、本願第２の発明は、画像を編集するための編集モードにおいて、前記画像の少なくとも１つを編集する編集手段と、前記編集手段により編集された編集画像を新たな画像として前記記憶装置に記憶する記憶制御手段と、前記編集画像と編集前の元画像とのいずれの画像を前記編集モード終了後に表示するかを選択させるための画面を表示する選択画面表示手段とを有することを特徴とする。
【発明の効果】
【００１１】
本発明によれば、編集処理を行った後の画像の閲覧において、ユーザはより自らの意図に沿った画像の閲覧を、手間をかけず速やかに行うことができる。
【図面の簡単な説明】
【００１２】
【図１】第１の実施形態における撮像装置１００の構成を示す機能ブロック図である。
【図２】第１の実施形態における撮像装置１００の外観構成の一例を示す図である。
【図３】第１の実施形態における画像編集処理及び画像編集モード終了後の表示画像選択処理の流れを示すフローチャートの一例である。
【図４】第１の実施形態におけるプリント処理の流れを示すフローチャートである。
【図５】第２の実施形態における画像編集処理及び画像編集モード終了後の表示画像選択処理の流れを示すフローチャートの一例である。
【図６】第１の実施形態におけるメニュー画面の一例を示す図である。
【図７】第１の実施形態における編集モードの画像選択画面の一例を示す図である。
【図８】第１の実施形態における編集モードの編集選択画面の一例を示す図である。
【図９】第１の実施形態における編集後の画像の一例を示す図である。
【図１０】第１の実施形態における表示画像選択画面の一例を示す図である。
【図１１】第１の実施形態における編集後の画像の一例を示す図である。
【図１２】第１の実施形態における編集画像のマルチ表示の一例を示す図である。
【図１３】第１の実施形態における印刷形式決定画面の一例を示す図である。
【図１４】第１の実施形態における編集画像のマルチ表示の一例を示す図である。
【図１５】第１の実施形態における編集画像のマルチ表示の一例を示す図である。
【図１６】第２の実施形態におけるメニュー画面の一例を示す図である。
【図１７】第２の実施形態における編集モードの編集選択画面の一例を示す図である。
【図１８】第２の実施形態における編集後の画像の一例を示す図である。
【図１９】第２の実施形態における編集モードの編集選択画面の一例を示す図である。
【図２０】第２の実施形態における編集後の画像の一例を示す図である。
【図２１】第１の実施形態における再生画像の一例を示す図である。
【発明を実施するための形態】
【００１３】
＜第１の実施形態＞
図１は、本発明を適用可能な画像処理装置に対し、更に撮像手段を有する撮像装置１００の構成を示す機能ブロック図である。本実施形態では撮像装置１００に本発明を適用することとして説明するが、撮像機能を備えないＰＣ（パーソナルコンピュータ）、携帯電話、ＰＤＡ、画像閲覧ビュアーなどの画像表示装置にも本発明を適用可能である。本発明の特徴は、複数の画像データの中から表示対象画像を選択するための技術にあるからである。
【００１４】
また、本実施形態の撮像装置１００には、デジタル記憶媒体（例えば、ＥＥＰＲＯＭやハードディスク等のメモリ媒体）にデジタル画像データを記録するデジタルカメラが含まれる。デジタルカメラには、例えば、デジタルムービーカメラ、デジタルスチルカメラ、又は、それらの複合機などが含まれる。
【００１５】
撮像装置１００は、光学系１０（撮像用レンズ）を介して被写体像を撮像するように構成されている。光学系１０は、ズームレンズ（撮像画角を変更可能なレンズ）を用いて構成されうる。これにより光学的なズーム機能（いわゆる光学ズーム）が撮像装置１００に提供される。
【００１６】
撮像装置１００はまた、撮像素子１４を用いて、撮像された画像を電子的に切り取る（トリミング）ことによる電子的なズーム機能（いわゆる電子ズーム）を有するように構成されうる。
【００１７】
なお、撮像装置１００は、光学ズーム及び電子ズームのいずれか一方の機能のみを有するように構成される場合もある。また、光学系１０は、交換可能であってもよく、この場合は、撮像装置１００のズーム制御部４４から光学系１０に対して電気信号を送ることにより、光学系１０内の駆動機構が変倍用のレンズを駆動してズーム機能を実現してもよい。又は、撮像装置１００に光学系１０内の変倍用のレンズを機械的に駆動する駆動機構を設けてもよい。
【００１８】
光学系１０を通る被写体からの光線（光学的な画角内から入射する光線）は、絞り機能を備えるシャッター１２の開口を通して撮像素子１４の撮像面に被写体の光学像を形成する。撮像素子１４には、例えば、ＣＣＤセンサやＣＭＯＳセンサなどを用いることができる。撮像素子１４は、この光学像を電気的なアナログ画像信号に変換して出力する。
【００１９】
Ａ／Ｄ変換器１６は、撮像素子１４から提供されるアナログ画像信号をデジタル画像信号に変換する。
【００２０】
撮像素子１４及びＡ／Ｄ変換器１６は、タイミング発生回路１８から提供されるクロック信号や制御信号によって制御される。タイミング発生回路１８は、メモリ制御部２２及びシステム制御回路５０により制御される。
【００２１】
画像処理部２０は、Ａ／Ｄ変換器１６から提供される画像データ（デジタル画像信号）又はメモリ制御部２２から提供される画像データに対して画素補間処理や色変換処理等の画像処理を行う。また、画像処理部２０は、撮像素子１４で撮像された画像データに基づいて、ＴＴＬ（スルー・ザ・レンズ）方式のＡＦ（オートフォーカス）処理、ＡＥ（自動露出）処理、ＥＦ（フラッシュプリ発光による自動調光）処理のためのデータを演算する。画像処理部２０は、演算により得られたデータをシステム制御回路５０に提供する。
【００２２】
システム制御回路５０は、このデータに基づいて露光制御部４０、測距制御部４２（ＡＦ制御部）を制御し、自動露出やオートフォーカス機能を実現する。さらに、画像処理部２０は、撮像素子１４で撮像された画像データに基づいてＴＴＬ方式のＡＷＢ（オートホワイトバランス）処理も実行する。
【００２３】
メモリ制御部２２は、Ａ／Ｄ変換器１６、タイミング発生回路１８、画像処理部２０、画像表示メモリ２４、Ｄ／Ａ変換器２６、メモリ３０、圧縮・伸長部３２を制御する。
【００２４】
Ａ／Ｄ変換器１６から出力される画像データは、画像処理部２０及びメモリ制御部２２を介して、又は、画像処理部２０を介することなく直接メモリ制御部２２を介して、画像表示メモリ２４又はメモリ３０に書き込まれる。
【００２５】
画像表示メモリ２４に書き込まれた表示用の画像データは、Ｄ／Ａ変換器２６によって表示用のアナログ画像信号に変換されて画像表示部２８に提供され、これにより画像表示部２８に撮像画像が表示される。また、画像表示部２８に撮像画像を連続的に表示することにより、電子ビューファインダ（ＥＶＦ）機能が実現される。画像表示部２８は、システム制御回路５０からの指令によって任意に表示をＯＮ／ＯＦＦされうる。表示をＯＦＦにして使用することにより、撮像装置１００の電力消費を低減することができる。
【００２６】
メモリ３０は、撮像（記憶媒体に記録する画像として撮像）した静止画像や動画像を格納するために使用される。メモリ３０の容量やアクセス速度（書き込み速度、読み出し速度）は、任意に設計されうるが、複数枚の静止画像を連続して撮像する連写撮像やパノラマ撮像を可能にするためには、それに応じた容量やアクセス速度を与える必要がある。メモリ３０は、システム制御回路５０の作業領域としても使用されうる。
【００２７】
圧縮・伸長部３２は、例えば適応離散コサイン変換（ＡＤＣＴ）等により画像データを圧縮・伸長する回路である。圧縮・伸長部３２は、メモリ３０に格納された画像データを読み込んで圧縮処理又は伸長処理を行い、処理を終えた画像データをメモリ３０に書き込むように構成される。
【００２８】
露光制御部４０は、システム制御回路５０から提供される情報に基づいて、絞り機能を備えるシャッター１２を制御する。露光制御部４０はまた、フラッシュ４８（発光装置）と連携したフラッシュ調光機能も有しうる。フラッシュ４８は、フラッシュ調光機能及びＡＦ補助光の投光機能を有する。
【００２９】
測距制御部４２は、システム制御回路５０から提供される情報に基づいて、光学系１０のフォーカシング用レンズを制御する。
【００３０】
ズーム制御部４４は、光学系１０のズーミングを制御する。
【００３１】
バリア制御部４６は、光学系１０を保護するバリア１０２の動作を制御する。
【００３２】
システム制御回路５０は、撮像装置１００全体を制御するように構成され、画像表示部２８に表示する撮像条件及び撮像装置１００の状態を示すオブジェクト（表示物）のうち少なくともいずれかを描画する処理等を実行する画像処理部２５０を含む。
【００３３】
メモリ５２は、システム制御回路５０の動作用の定数、変数、プログラム、さらには、画像表示部２８にオブジェクトを表示するためのオブジェクトデータ等を記憶する。オブジェクトデータは、撮像によって生成される画像データとは異なり、画像データを一時的に保持するメモリ領域とは異なるメモリ領域に保持される。オブジェクトデータは、典型的には、撮像装置１００の出荷前にメモリ５２に書き込まれる。オブジェクトデータはまた、撮像装置１００の出荷後に、電気通信回線を通じてダウンロードされるデータ又は記憶媒体に収めてユーザに提供されるデータに基づいてユーザによって書き換えられてもよいし、サービスセンター等において書き換えられてもよい。
【００３４】
表示部５４は、例えば、ＬＣＤやＬＥＤによって構成され、音源５５は、例えば、スピーカによって構成される。表示部５４及び音源５５はそれぞれ、１又は複数の素子で構成され、システム制御回路５０におけるプログラムの実行に応じて、文字、画像、音声等により動作状態やメッセージ等を出力するように構成され、撮像装置１００の適所に配置される。表示部５４を構成する一部の表示素子は、光学ファインダ１０４内に配置されうる。
【００３５】
表示部５４に表示される情報のうち、ＬＣＤ等に表示される情報としては、例えば、シングルショット／連写撮像表示、セルフタイマー表示、圧縮率表示、記録画素数表示、記録枚数表示、残撮像可能枚数表示、シャッタースピード表示などがある。この他にも、絞り値表示、露出補正表示、フラッシュ表示、赤目緩和表示、マクロ撮像表示、ブザー設定表示、時計用電池残量表示、電池残量表示、エラー表示、複数桁の数字による情報表示などがある。さらには、記憶媒体２００及び２１０の着脱状態表示、通信Ｉ／Ｆ動作表示、日付・時刻表示などがある。
【００３６】
また、表示部５４に表示される情報のうち、光学ファインダ１０４内に表示される情報としては、例えば、合焦表示、手振れ警告表示、フラッシュ充電表示、シャッタースピード表示、絞り値表示、露出補正表示などがある。
【００３７】
不揮発性メモリ５６は、例えばＥＥＰＲＯＭ等の、電気的に消去・記録が可能なメモリである。前述のオブジェクトデータは、不揮発性メモリ５６に格納されてもよい。
【００３８】
モードダイアル６０は、撮像装置１００の状態を「撮像モード」「再生モード」「ＰＣ接続モード」などに設定（切り替え）するためのダイアルである。
【００３９】
第１シャッタースイッチＳＷ１（６２）は、シャッターボタン３１０の操作途中（半押し）でＯＮとなり、ＡＦ処理、ＡＥ処理、ＡＷＢ処理、ＥＦ処理等の開始をシステム制御回路５０に指示する。
【００４０】
第２シャッタースイッチＳＷ２（６４）は、シャッターボタン３１０の操作完了（全押し）でＯＮとなる。ＳＷ２（６４）は、撮像素子１４から画像信号を読み出してＡ／Ｄ変換器１６でデジタル画像データに変換した後にこれを画像処理部２０で処理し、メモリ制御部２２を介してメモリ３０に書き込む処理の開始をシステム制御回路５０に指示する。ＳＷ２（６４）はまた、メモリ３０から画像データを読み出して圧縮・伸長部３２で圧縮し、その圧縮された画像データを記憶媒体２００又は２１０に書き込む処理を含む一連の処理（撮像処理）の開始をシステム制御回路５０に指示する。このスイッチ２からの指示に応じて、システム制御回路５０は撮影した画像の書き込み処理を制御する。
【００４１】
ズーム操作部６５は、撮像画角（ズーム倍率或いは撮像倍率）を変更するためにユーザによって操作される操作部であって、例えば、スライド式の操作部材又はレバー式の操作部材と、その動作を検知するスイッチ又はセンサとによって構成されうる。
【００４２】
操作部７０は、図２に示すボタン又はスイッチ３０１〜３１１を含む。操作部７０は、電源をＯＮ／ＯＦＦしたり、撮像条件を設定或いは変更したり、撮像条件を確認したり、撮像装置１００の状態を確認したり、撮像済みの画像を確認したりする際に使用される。
【００４３】
電源制御部８０は、例えば、電源検出回路、ＤＣ−ＤＣコンバータ、通電するブロックを切り替えるスイッチ回路等を含む。電源制御部８０は、電源の有無、電源の種類、電池残量の検出を行い、その検出結果とシステム制御回路５０からの指令に従ってＤＣ−ＤＣコンバータを制御し、必要な電圧を必要な期間に各ブロックに供給する。撮像装置１００の本体、電源８６は、それぞれコネクタ８２、８４を有し、これによって接続される。電源８６は、例えば、アルカリ電池やリチウム電池等の一次電池や、ＮｉＣｄ電池やＮｉＭＨ電池、Ｌｉ電池等の二次電池、ＡＣアダプタ等である。
【００４４】
記憶媒体２００、２１０は、コネクタ２０６、２１６によって撮像装置１００の本体のコネクタ９２、９６に接続される。記憶媒体２１０、２１０は、例えば、半導体メモリ又はハードディスク等の記録部２０２、２１２と、インタフェース２０４、２１４とを含み、撮像装置１００のインタフェース９０、９４を介して撮像装置１００内のバスに接続される。記憶媒体着脱検知部９８は、コネクタ９２、９６に記憶媒体２００、２１０が接続されているか否かを検知する。
【００４５】
なお、この例では、記憶媒体を取り付けるインタフェース及びコネクタを２系統有するものとして説明したが、これらは１系統でもよいし、３系統以上でもよい。複数系統のインタフェース及びコネクタを備える場合は、それらは互いに異なる仕様を有していてもよい。インタフェース及びコネクタとしては、例えば、ＰＣＭＣＩＡカードやＣＦ（コンパクトフラッシュ（登録商標））カード等の規格に準拠したものを用いることができる。
【００４６】
インタフェース９０及び９４、並びにコネクタ９２及び９６としてＰＣＭＣＩＡカードやＣＦカード等の規格に準拠したものを採用する場合、次に列挙するカード等を用いて外部機器との間で画像データや画像データに付属した管理情報を相互に転送できる。そのカードとは、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードである。また、外部機器には、コンピュータやプリンタ等の周辺機器を使用できる。
【００４７】
光学ファインダ１０４は、画像表示部２８によるＥＶＦ機能を使用することなしに撮像を行うことを可能にする。光学ファインダ１０４内には、表示部５４の一部を構成する表示素子、例えば、合焦表示、手振れ警告表示、フラッシュ充電表示、シャッタースピード表示、絞り値表示、露出補正表示などを行うための表示素子が配置されうる。
【００４８】
通信Ｉ／Ｆ１１０は、ＵＳＢ、ＩＥＥＥ１３９４、Ｐ１２８４、ＳＣＳＩ、モデム、ＬＡＮ、ＲＳ２３２Ｃ、無線通信等の各種通信機能を提供する。通信Ｉ／Ｆ１１０には、撮像装置１００を他の機器と接続するためのコネクタ１１２、又は、無線通信機能を提供する際にはアンテナが接続されうる。
【００４９】
図２は、撮像装置１００の外観構成の一例を示す図である。なお、図２においては、説明のために不要な構成部分は図示していない。
【００５０】
メニューボタン３０１は、各種の撮像条件の設定のため、及び、撮像装置１００の状態を表示させるためのメニューを表示するためのボタンである。メニューは、選択可能な、及び、値を変更可能な複数の項目のうち少なくともいずれかを含むように構成される。
【００５１】
決定ボタン３０２は、メニューにおいて値や項目を決定又は選択するためのボタンである。システム制御回路５０は、決定ボタン３０２が押下されると、その時に選択されている値や項目を決定又は選択する。
【００５２】
表示ボタン３０３は、撮像した画像についての撮像情報の表示・非表示を選択したり、画像表示部２８をＥＶＦとして機能させるか否かを切り替えたりするためのボタンである。
【００５３】
ＳＥＴボタン３０４は、種々のメニュー画面において、さらに詳細な条件等を設定するためのメニュー画面に移行するためのボタンである。
【００５４】
方向ボタン３０５〜３０８は、カーソル又はハイライト部等のような、複数の選択肢の中で選択されている選択肢（例えば、項目、画像）を変更するためのボタンである。また、選択されている選択肢を特定する指標（例えば画面中に表示するポインタ）の位置を変更するためにも用いられる。方向ボタン３０５〜３０８はまた、数値（例えば、補正値や日時等を示す数値など）を増減させるためなどにも使用されうる。本発明においては、方向ボタン３０５〜３０８は、画像編集を行う際の画像効果候補を選択するために使用される。
【００５５】
プリントボタン３０９は、コネクタ１１２を介して有線または無線により接続されたプリンタ（図示せず）に、撮影した画像を出力するために使用される。
【００５６】
電源ボタン３１１は、撮像装置１００を起動及び停止させるため、又は、撮像装置１００の主電源をＯＮ／ＯＦＦするためのボタンである。
【００５７】
モードレバー３１２により、撮像装置１００は画像を撮影するための撮影モードと画像を再生するための画像閲覧モードに切り替えられ、本発明の画像編集はこのレバーにて画像閲覧モード中に任意の画像に対して行われる。
【００５８】
以下、図３を参照して、本実施形態の撮像装置１００における画像編集及び表示処理について説明する。
【００５９】
図３は、表示対象画像選択処理及び自動再生処理の流れを示すフローチャートであり、撮像装置１００が一連の画像編集を終了し、画像閲覧モードへ戻る際に、表示する画像を選択する実施形態について示したものである。なお本フローは、ユーザ操作に応じて、撮影モードへの切り替えや電源のオフが行われた場合には終了する。
【００６０】
ステップＳ３００１にて、システム制御回路５０はモードレバー３１２の状態をチェックし、現在のモードが再生モードか否かを判断する。
【００６１】
再生モードであると判断すれば、システム制御回路５０は処理をステップＳ３００２に進める。再生モードでないと判断した場合には、再生モードに切り替えられるまで処理を繰り返す。
【００６２】
ステップＳ３００２にて、システム制御回路５０は指定の順序が最後尾の画像を指定し、記憶媒体２００から読み出して画像表示部２８に表示する。画像の指定順序は予め定められており、本実施形態では記憶媒体２００に記憶された画像をファイル名でソートした順番となる。システム制御回路５０は、ユーザ操作により方向ボタン３０５，３０６が押されるたびに、記憶媒体２００に記憶された画像の中から、現在指定している画像の前後の指定順に相当する画像を指定し、画像表示部２８に表示する。いわゆる、「画像送り」が行われる。図２１に、ステップＳ３００２で表示する画像の一例を示す。
【００６３】
もちろん、システム制御回路５０は、１画面に１枚の画像を表示するだけでなく、１画面に複数の画像を表示してもよい。この場合には、表示された複数の画像のうち、指定された画像を、例えば強調して表示したりして、他の画像と識別できるよう表示する。
【００６４】
ステップＳ３００３にて、システム制御回路５０はメニューボタン３０１が押されたか否かを判断する。メニューボタン３０１が押されたと判断した場合、システム制御回路５０は処理をステップＳ３００４に進める。メニューボタン３０１が押されていない場合には、押されるまでステップＳ３００３の処理を繰り返す。
【００６５】
ステップＳ３００４にて、システム制御回路は再生メニュー画面を画像表示部２８に表示する。再生メニュー画面を図６に示す。６０１はレタッチマイカラーモードである。レタッチマイカラーモード６０１については後述する。
【００６６】
ステップＳ３００５にて、システム制御回路５０はメニューのうちレタッチマイカラーモード６０１が選択された状態で決定ボタン３０２が押下された否かを判断する。押下されたと判断した場合には、処理をステップＳ３０５１に進める。押下されていないと判断した場合処理をステップＳ３００４に戻す。
【００６７】
ステップＳ３０５１〜３０５６までが画像編集モードの状態であり、画像に対して様々な編集を施すことが可能となる。すなわち、ユーザ操作により、再生メニュー画面でレタッチマイカラーモード６０１が選択されることにより、撮像装置１００は画像編集モードを開始する。
【００６８】
本実施形態では、画像編集モードで実行可能な編集処理の一例として、レタッチマイカラー処理について説明する。この処理は、予め複数用意されている色変化の効果の中からユーザが好みの色効果を選択することで、撮像装置１００が画像に対して色による効果を施す処理である。色効果を施された画像は元の画像とは別の新たな画像として記憶される。
ステップＳ３０５１にて、システム制御回路５０は画像表示部２８に画像指定画面を表示する。
【００６９】
画像指定画面を図７に示す。７０１は画像である。ユーザが方向ボタン３０５または３０６を押下するごとに、システム制御回路５０により記録部２０２に記録されている画像が１枚ずつ順番に指定される。システム制御回路５０は指定した画像を画像表示部２８に表示するよう制御する。すなわち、ユーザが方向ボタン３０５または３０６を押下すると、画像表示部２８に画像が順次表示される。
【００７０】
ステップＳ３０５２にて、システム制御回路５０はメニューボタン３０１が押されたか否かを判断する。メニューボタン３０１が押されていないと判断した場合には、処理をステップＳ３０５３に進める。
【００７１】
画像選択画面が表示されている状態では、ユーザは方向ボタン３０５または３０６を用いて画像を選択し、決定ボタン３０２を押下することで編集を施す画像を指定することができる。このユーザの操作に応じて、システム制御回路５０は指定された画像を編集対象として決定する。
【００７２】
ステップＳ３０５３にて、システム制御回路５０は編集を施す画像を決定しているか否かを判断する。決定していると判断した場合には処理をステップＳ３０５４へと進める。決定していないと判断した場合には処理をステップＳ３０５１に戻す。
【００７３】
ステップＳ３０５４にて、システム制御回路５０は、画像表示部２８に画像に施す編集の種類をユーザに選択させる編集選択画面を表示する。
【００７４】
編集選択画面を図８に示す。図８において、ユーザは方向ボタン３０５または３０６を用いて複数ある色効果８０１の中から所望のものを選択する。
【００７５】
色効果８０１が選択されると、システム制御回路５０は画像処理部２５０によって、画面上の画像７０１に色効果を付す処理を行う。この時点ではまだ編集は確定せず、編集画像は記憶媒体２００に保存されない。
【００７６】
一例として、色効果「セピア」を付した画像を図９の９０１に示す。９０２は確認ダイアログであり、ユーザ操作により「ＯＫ」が選択されるとシステム制御回路５０は編集を確定し、処理をステップＳ３０５６に進める。
【００７７】
ステップＳ３０５６にて、システム制御回路５０は編集画像を新たな画像として記憶媒体２００に記憶する。この際、システム制御回路５０は新たな編集画像にファイル名を付与する。本実施形態では、ファイル名は編集前の元画像とは関連のない名前が付与される。通常、ファイル名は連番で付与されるため、新たに記憶された直後の編集画像は記憶媒体２００に記憶された画像の中で最も大きなファイル名を付与されることになる。従って、編集画像の指定の順序は最後尾となる。
【００７８】
画像を記憶した後は、システム制御回路５０は処理をステップＳ３０５１に戻し、画像表示部２８に図７に示す画面を表示する。
【００７９】
以下、システム制御回路５０はユーザの操作に応じてステップＳ３０５１〜３０５６の処理を繰り返すことで、複数の画像に編集処理を行う。
【００８０】
画像編集モードＳ３０５０にある状態で、ユーザによりメニューボタン３０１が押下されると、システム制御回路５０は現在のステップをキャンセルし、処理を一つ前のステップに戻す。そしてステップＳ３０５１においてにメニューボタン３０１が押下されると、システム制御回路５０は処理をステップＳ３００６に進め、画像編集モードＳ３０５０を終了する。
【００８１】
ステップＳ３００６にて、システム制御回路５０は画像編集モードＳ３０５０において画像編集を一度でも行ったかどうかを判断する。具体的には、編集前と編集後のファイル数を比較し、ファイル数が異なっている場合には画像編集を行っていると判断する。画像編集を行っている場合には処理をステップＳ３００７に進める。
【００８２】
ステップＳ３００８にて、システム制御回路５０は画像表示部２８に表示画像選択画面を表示する。図１０に表示画像選択画面を示す。ユーザはこの画面の「はい」ボタン１００１または「いいえ」ボタン１００２を選択することでこの後表示する画像を決定することができる。
【００８３】
ステップＳ３００８にて、システム制御回路５０は、ユーザにより編集画像を表示することを選択されたか否か、すなわちユーザが表示画像選択画面で「はい」ボタン１００１を選択したか否かを判断する。ユーザにより「はい」ボタン１００１が選択された場合には、システム制御回路５０は処理をステップＳ３００９に進める。
【００８４】
ステップＳ３００９において、システム制御回路５０は編集モードにて複数の画像を編集したか否かを判断する。具体的には、編集前と編集後のファイル数を比較し、ファイル数が２以上増加している場合には複数画像の編集を行っていると判断する。複数の画像を編集していないと判断した場合には処理をステップＳ３０１１に進める。
【００８５】
ステップＳ３０１１において、システム制御回路５０は画像編集モード終了後に表示される画像として、編集モードにて編集して新たに記憶した編集画像を指定し、画像表示部２８に表示する。ステップＳ３０１１において表示される画面を図１１に示す。図１１に示す画面が表示された状態で方向ボタン３０５または３０６が押されると、編集画像から順番に画像送りが開始される。
【００８６】
ステップＳ３００９において複数の画像が編集されたと判断した場合には、システム制御回路５０は処理をステップＳ３０１２に進める。
【００８７】
ステップＳ３０１２において、システム制御回路５０は、画像表示部２８に複数の編集画像をマルチ表示する。マルチ表示とは一画面に複数の画像を縮小して表示するものである。本実施形態におけるマルチ表示では、編集した一連の画像群のうち、最初に編集したものが指定される。システム制御回路５０は、画像編集を行い最初に保存した画像ファイルの番号をカウンタ値として記憶しておき、画像モード終了後にそのカウンタ値に基づいて表示する画像を指定する。なお、複数の画像のうち、最後に編集した画像が指定されてもよいし、ファイル名のソート順に基づいて指定する画像を決定してもよい。
【００８８】
マルチ表示後、システム制御回路５０は処理をステップＳ３０１３に進める。
【００８９】
図１２にマルチ表示の例を示す。図１２では１画面に９枚の編集画像１２０１が表示されている。このように複数の編集画像をマルチ表示することで、ユーザは編集モードを終了した際に編集した画像の一覧を見ることができ、視認性が高まる。もちろん、編集画像が９枚以下であれば、編集画像の数だけ表示される。図１２に示す画面が表示された状態で方向ボタン３０５または３０６が押されると、現在指定されている画像から順番に画像送りが開始される。
【００９０】
ステップＳ３００８にて編集画像の表示が選択されなかった場合、すなわち表示画像選択画面で「いいえ」ボタン１００２が選択されたと判断した場合には処理をステップＳ３０１０に進める。
【００９１】
また、ステップＳ３００６にて、ステップＳ３０５０全体で一度も画像の編集を行わなかったと判断した場合には、システム制御回路５０は処理をステップＳ３０１０に進める。
【００９２】
ステップＳ３０１０において、システム制御回路５０は、最後にステップＳ３０５１で表示した画像、すなわち編集前の画像を指定し、画像表示部２８に表示する。編集前の画像が表示された状態で方向ボタン３０５または３０６が押されると、編集前の画像から順番に画像送りが開始される。
【００９３】
ステップＳ３０１３ではプリント処理を行う。この処理については後述する。プリント処理が終了すると、システム制御回路５０は処理をステップＳ３００３に戻す。
【００９４】
ここで、本実施形態におけるステップＳ３０１３のプリント処理を、図４のフローを用いて詳細に説明する。
【００９５】
ステップＳ４００１にて、システム制御回路５０はユーザ操作によりプリントボタン３０９が押されたか否か判断する。押されたと判断した場合には処理をステップＳ４００２に進める。押されていないと判断した場合には処理を終了し、図３のフローに戻る。
【００９６】
ステップＳ４００２にて、システム制御回路５０はステップＳ３０１２にてマルチ表示処理が行われているか否かを判断する。マルチ表示が行われていない、すなわちステップＳ３０１１における一枚表示が行われていると判断した場合には処理をステップＳ４００４に進める。
【００９７】
ステップＳ４００４にて、システム制御回路５０は現在表示中の画像をプリント対象としてメモリ５２または記録媒体２００に画像の識別情報を記憶し、画像表示部２８にプリント設定画面（図示せず）を表示する。
【００９８】
ステップＳ４００７において、ユーザはプリント設定画面を見ながら、操作部７０を用いて各種プリント設定を行う。プリント設定画面では、例えば用紙サイズ、用紙の種類、印刷枚数、フチ有り／フチ無しの選択などを行うことができる。システム制御回路５０はユーザの選択操作に応じて各種プリント設定をメモリ５２または記録媒体２００に記憶する。
【００９９】
ステップＳ４００８において、システム制御回路５０はユーザ操作により決定ボタン３０２が押されたか否か判断する。押されたと判断した場合には処理をステップＳ４００９に進める。押されていないと判断した場合には押されるまで処理を繰り返す。
【０１００】
ステップＳ４００９において、システム制御回路５０は印刷対象とした画像を記憶媒体２００から読み出し、コネクタ１１２を介して接続されたプリンタに画像及びプリント設定を転送し、プリント処理を終了する。プリンタは受信した画像及びプリント設定に基づき、プリントを実行する。
【０１０１】
次に、ステップＳ４００２で、マルチ表示処理が行われていると判断した場合について説明する。この場合には、システム制御回路５０は処理をステップＳ４０１０に進める。
【０１０２】
ステップＳ４０１０にて、システム制御回路５０は画像表示部２８に印刷形式設定画面を表示する。印刷形式設定画面の一例を図１３に示す。１３０１は一括印刷ボタンであり、マルチ表示されている画像を一括でプリントする指示を行うためのボタンである。１３０２は１枚印刷ボタンであり、マルチ表示されている画像を１枚ずつプリントする指示を行うためのボタンである。
【０１０３】
ステップＳ４００３にて、システム制御回路５０は印刷形式設定画面において、ユーザ操作によって一括印刷ボタン１３０１が選択されたか否かを判断する。一括印刷ボタン１３０１が選択されたと判断した場合には処理をステップＳ４００５に進める。
【０１０４】
ステップＳ４００５にて、システム制御回路５０は、マルチ表示されている画像すべてをプリントの対象として決定し、処理をステップＳ４００７に進める。
【０１０５】
ステップＳ４００７〜ステップＳ４００９は一枚表示の場合と同様である。ステップＳ４００９では、ステップＳ４００５でプリント対象となったすべての画像が印刷される。
【０１０６】
ステップＳ４００３にて、一括印刷ボタン１３０１が選択されなかったと判断した場合、すなわち１枚印刷ボタン１３０２が選択されたと判断した場合には、システム制御回路５０は処理をステップＳ４００６に進める。
【０１０７】
ステップＳ４００６にて、システム制御回路５０は画像表示部２８に印刷画像選択画面を表示する。印刷画像選択画面を図１４に示す。
【０１０８】
ユーザは印刷画像選択画面を見ながらプリントする画像を選択する。選択された画像は１４０１のように太枠表示される。
【０１０９】
システム制御回路５０は、印刷画像選択画面でユーザに選択された画像をプリント対象として決定し、処理をステップＳ４００７に進める。
【０１１０】
ステップＳ４００７〜４００９の処理は１枚表示のときと同様である。
【０１１１】
なお、印刷画像選択画面では印刷対象を１つ選択する構成としたが、図１５に示すように、任意の印刷対象を複数選択出来る構成としてもよい。図１５では、１４０１、１４０２、１４０３が印刷対象となっている。
【０１１２】
なお、プリントの対象を決定したり、各種プリントの設定を行う場合には、ＤＰＯＦ（Ｄｉｇｉｔａｌ  Ｐｒｉｎｔ  Ｏｒｄｅｒ  Ｆｏｒｍａｔ）形式のファイルを用いて行ってもよい。
【０１１３】
本実施形態では、画像編集モードを終了した際に、画像編集後に編集前の画像を指定するか編集後の画像を指定するかをユーザに選択させることが可能である。
【０１１４】
従って、ユーザが編集前の画像を指定するよう選択すれば、画像編集モードを終了した途端に、編集画像に画面がジャンプしてしまうことを防ぐことが出来る。
【０１１５】
また、ユーザが編集後の画像を表示するよう選択すれば、編集画像にさらに何らかの処理、例えばプリント処理を行う場合に、編集後の画像を探すという煩雑な操作が不要となる。
【０１１６】
さらに、１回の編集モードで複数の画像を編集した場合には、編集画像をマルチ表示することで、ユーザは一見して編集した画像を把握することが可能である。また、マルチ表示の場合は一括プリントを可能としたことで、ユーザは複数の編集画像を簡単な操作でプリントすることが可能となる。
【０１１７】
＜第２の実施形態＞
次に、第２の実施形態について説明する。
【０１１８】
第１の実施形態では図１０に示す表示画像選択画面を、画像編集モードを終了する際に表示していた。
【０１１９】
本実施形態では、画像編集モード中に表示画像選択画面を表示する構成とすることで、繰り返し編集を行う場合におけるユーザ操作を容易にした。
【０１２０】
以下、第１の実施形態と同様の部分は説明を省略し、本実施形態に特徴的な部分について説明を行う。
【０１２１】
図５に本実施形態における画像編集及び表示の処理フローを示す。
【０１２２】
図５のフローのうち、ステップＳ５００１〜５００５、ステップＳ５０５１〜５０５６は、図３のフローのステップＳ３００１〜３００５、ステップＳ３０５１〜３０５６と同様であるため、ここでは説明しない。
【０１２３】
以下、ステップＳ５０５７以降の処理について述べる。
ステップＳ５０５７において、システム制御回路５０は画像表示部２８に、図１０に示す画像選択画面を表示する。
【０１２４】
ステップＳ５０５８にて、システム制御回路５０は、ユーザにより編集画像を表示することが選択されたか否かを判断する。すなわち、第１の実施形態におけるステップＳ３００８に対応する処理を行う。編集画像を表示することが選択されたと判断した場合には処理をステップＳ５０５９に進める。
【０１２５】
ステップＳ５０５９において、システム制御回路５０は編集画像を画面に指定し表示する。編集画像が表示された状態で方向ボタン３０５または３０６が押されると、編集画像から順番に画像送りが開始される。
【０１２６】
ステップＳ５０５８において、編集画像を表示することが選択されなかった、すなわち編集前の画像の表示が選択されたと判断した場合には、システム制御回路５０は処理をステップＳ５０６０に進める。
【０１２７】
ステップＳ５０６０にて、システム制御回路５０は編集前の画像を指定し画像表示部２８に表示する。編集前の画像が表示された状態で方向ボタン３０５または３０６が押されると、編集前の画像から順番に画像送りが開始される。
【０１２８】
また、ステップＳ５０５２においてメニューボタン３０１が押されたと判断した場合には、システム制御回路５０は処理をステップＳ５００６に進める。
【０１２９】
ステップＳ５００６にて、システム制御回路５０は編集前の画像を指定し画像表示部２８に表示し、処理をステップＳ５００２に戻す。
【０１３０】
以上、本実施形態における処理フローを説明した。この処理を具体的な例を用いて説明する。
【０１３１】
図１６にステップＳ５００４で表示される再生メニュー画面を示す。ここでステップＳ５００５において、ユーザが「画像編集」１６０１を選択すると、画像編集モードとなる。
【０１３２】
画像選択画面が表示され（Ｓ５０５１）、編集の対象となる画像を選択すると（Ｓ５０５３）、図１７に示す編集選択画面が表示される。１７０１は色処理アイコンであり、各種の色処理を指示するアイコンである。１７０２は露出補正アイコンであり、露出の補正を指示するアイコンである。１７０３は赤目処理アイコンであり、赤目処理を指示するためのアイコンである。なお、図１７に示す画像は、１７０４の部分が赤目となっている。      
【０１３３】
ユーザが赤目処理アイコン１７０３を選択すると（Ｓ５０５５）、赤目処理が行われ、編集画像が保存される（Ｓ５０５６）。
【０１３４】
編集後、図１０に示す表示画像選択画面が表示される（Ｓ５０５７）。ここでユーザが「はい」ボタン１００１を選択すると（Ｓ５０５８／ＹＥＳ）、編集画像が指定される。その結果、画像選択画面に図に示す編集画像が表示される（Ｓ５０５９）。赤目処理を行った編集画像を図１８に示す。
【０１３５】
そして、画像選択画面に先程編集して保存した画像が表示される（Ｓ５０５１）。従って、ユーザは編集した画像を再度探すという煩雑な操作なしに、編集画像を表示させることができる。
【０１３６】
ユーザは再度編集画像を選択することで（Ｓ５０５３）、図１９に示す編集選択画面で新たな編集処理を選択することができる（Ｓ５０５４）。
【０１３７】
図２０に、さらに色処理「セピア」を選択した場合の画像を示す。この処理により、ユーザは赤目処理と色処理の双方が行われた画像を得ることができる。
【０１３８】
本実施形態では、画像が１枚編集されたタイミングで表示画像選択画面を表示する構成とした。この構成により、画像モードを抜けることなく画像処理を繰り返し行うことが可能となる。
【０１３９】
＜その他の実施形態＞
本発明の趣旨は何らかの手を加えた画像を保存した後に指定される画像の選択に関わるものであり、画像編集の種類は上記実施形態に記載に限定されるものではない。例えば色補正やストロボ発光による赤目を修正するモードや、露出の他、ガンマ値の補正、手ぶれに対する補正、画像のトリミングなど、様々な画像編集に対して有効であることは言うまでもない。
【０１４０】
また上述した実施の形態の処理は、各機能を具現化したソフトウェアのプログラムコードを記録した記憶媒体をシステム或は装置に提供してもよい。そして、そのシステム或は装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【０１４１】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【０１４２】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図１】
2010193478.tif 000003
【図２】
2010193478.tif 000004
【図３】
2010193478.tif 000005
【図４】
2010193478.tif 000006
【図５】
2010193478.tif 000007
【図６】
2010193478.tif 000008
【図７】
2010193478.tif 000009
【図８】
2010193478.tif 000010
【図９】
2010193478.tif 000011
【図１０】
2010193478.tif 000012
【図１１】
2010193478.tif 000013
【図１２】
2010193478.tif 000014
【図１３】
2010193478.tif 000015
【図１４】
2010193478.tif 000016
【図１５】
2010193478.tif 000017
【図１６】
2010193478.tif 000018
【図１７】
2010193478.tif 000019
【図１８】
2010193478.tif 000020
【図１９】
2010193478.tif 000021
【図２０】
2010193478.tif 000022
【図２１】
2010193478.tif 000023
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
被写体を撮像して画像を得る撮像手段と、
前記撮像手段により得られた画像に対し、画像間での連番を含むファイル名を付与する付与手段と、
前記撮像手段により得られた画像を記憶媒体に記憶する第１の記憶手段と、
前記記憶媒体に記憶された画像のうち、指定された画像を表示する表示手段と、
前記記憶媒体に記憶された画像を、前記ファイル名の順に１つずつ指定する画像送り手段と、
前記記憶媒体に記憶された画像のうち、ユーザ操作に基づき選択された画像を編集する編集手段と、
前記編集手段により編集された編集画像を新たな画像として前記記憶媒体に記憶する第２の記憶手段とを有し、
前記編集画像が新たな画像として記憶される際に、前記付与手段は前記記憶媒体に記憶された画像のうち前記連番が最も大きくなるようファイル名を付与し、
前記表示手段は、前記編集画像と編集前の元画像とのいずれの画像が前記編集後に指定されるかを選択させるための選択画面を表示することを特徴とするデジタルカメラ。
【請求項２】
前記編集手段により画像を編集するための編集モードを有し、
前記表示手段は、前記編集モードを終了したことに応じて、前記選択画面を表示することを特徴とする請求項１に記載のデジタルカメラ。
【請求項３】
前記選択に基づき表示した画像の印刷を指示する印刷指示手段を有する請求項２に記載のデジタルカメラ。
【請求項４】
前記編集手段は、前記編集モードにおいて複数の画像を編集可能であり、
前記選択画面において編集画像の指定が選択された場合、前記表示手段は、一画面に前記編集モードで編集した画像の縮小画像を複数表示するマルチ表示を行うことを特徴とする請求項２または３に記載のデジタルカメラ。
【請求項５】
前記編集モードを終了した際に、前記編集モードにおいて画像の編集が行われたか否かを判断する判断手段をさらに有し、
前記表示手段は、前記判断手段により前記編集モードにおいて編集された画像があると判断した場合に前記選択画面を表示し、前記判断手段により前記編集モードにおいて編集された画像がないと判断した場合に前記選択画面を表示しないことを特徴とする請求項２乃至４のいずれか１項に記載のデジタルカメラ。
【請求項６】
前記判断手段は、前記編集モードを開始する際に前記記憶媒体に記憶されていた画像の数と、前記編集モードを終了する際に前記記憶媒体に記憶されていた画像の数とを比較することで、前記編集モードにおいて編集された画像があるか否かを判断することを特徴とする請求項５に記載のデジタルカメラ。
【請求項７】
前記表示手段は、前記編集手段による画像の編集を行った後に前記選択画面を表示することを特徴とする請求項１に記載のデジタルカメラ。
【請求項８】
前記編集手段による編集は、赤目処理、色補正、画像の回転、露出補正、画像のトリミングのいずれかを含むことを特徴とする請求項１乃至５のいずれか１項に記載のデジタルカメラ。
【請求項９】
被写体を撮像して画像を得る撮像工程と、
前記撮像工程において得られた画像に対し、画像間での連番を含むファイル名を付与する第１の付与工程と、
前記撮像工程において得られた画像を記憶媒体に記憶する第１の記憶工程と、
前記記憶媒体に記憶された画像のうち、指定された画像を表示する画像表示工程と、
前記記憶媒体に記憶された画像を、前記ファイル名の順に１つずつ指定する画像送り工程と、
前記記憶媒体に記憶された画像のうち、ユーザ操作に基づき選択された画像を編集する編集工程と、
前記編集工程において編集された編集画像を新たな画像として前記記憶媒体に記憶する第２の記憶工程と、
前記編集画像が新たな画像として記憶される際に、前記記憶媒体に記憶された画像のうち前記連番が最も大きくなるようファイル名を付与する第２の付与工程と、
前記編集画像と編集前の元画像とのいずれの画像が前記編集後に指定されるかを選択させるための選択画面を表示する選択画面表示工程とを有するデジタルカメラの制御方法。
【請求項１０】
デジタルカメラのコンピュータに、請求項９の制御方法を実行させるためのコンピュータ読み取り可能なプログラム。
【手続補正３】
【補正対象書類名】明細書
【補正対象項目名】０００９
【補正方法】変更
【補正の内容】
【０００９】
上記課題を解決するために、本発明に係るデジタルカメラは、被写体を撮像して画像を得る撮像手段と、前記撮像手段により得られた画像に対し、画像間での連番を含むファイル名を付与する付与手段と、前記撮像手段により得られた画像を記憶媒体に記憶する第１の記憶手段と、前記記憶媒体に記憶された画像のうち、指定された画像を表示する表示手段と、前記記憶媒体に記憶された画像を、前記ファイル名の順に１つずつ指定する画像送り手段と、前記記憶媒体に記憶された画像のうち、ユーザ操作に基づき選択された画像を編集する編集手段と、前記編集手段により編集された編集画像を新たな画像として前記記憶媒体に記憶する第２の記憶手段とを有し、前記編集画像が新たな画像として記憶される際に、前記付与手段は前記記憶媒体に記憶された画像のうち前記連番が最も大きくなるようファイル名を付与し、前記表示手段は、前記編集画像と編集前の元画像とのいずれの画像が前記編集後に指定されるかを選択させるための選択画面を表示することを特徴とする。
【手続補正４】
【補正対象書類名】明細書
【補正対象項目名】００１０
【補正方法】削除
【補正の内容】